(57)【要約】本発明は、毛髪の量または長さを増大させる方法に関するものであり、固定要素１３によって結合された複数本の毛髪３を含み、接着面１１ａを有する支持テープ１１上に配置された固定要素１３によって基本的に平行に配列された複数の増毛部材Ｃを用意する段階と、支持テープ１１の前記接着面１１ａを頭髪Ｔに付着させて増毛部材Ｃを位置づける段階と、固定要素１３を頭髪に取り付けることによって、増毛部材Ｃを頭髪に結合させる段階とを含む。さらに、本発明は、そのような方法において用いられる組立体１２に関するものである。
2004522007.tif 000002
【特許請求の範囲】
【請求項１】
毛髪の量または長さを増大させる方法において、
固定要素（１３）によって結合された複数本の毛髪（３）を含み、接着面（１１ａ）を有する支持テープ（１１）上に配置された前記固定要素（１３）によって基本的に平行に配列された複数の増毛部材（Ｃ）を用意する段階と、
前記支持テープ（１１）の前記接着面（１１ａ）を頭髪（Ｔ）に付着させて前記増毛部材（Ｃ）を位置づける段階と、
前記固定要素（１３）を前記頭髪に取り付けることによって、前記増毛部材（Ｃ）を前記頭髪に結合させる段階とを含む、毛髪量または長さを増大させる方法。
【請求項２】
一本の支持テープ（１１）の前記複数の増毛部材（Ｃ）を、同時に、前記頭髪に結合する請求項１に記載された毛髪量または長さを増大させる方法。
【請求項３】
前記固定要素（１３）に設けた結合手段（２２，２３，２５，２７，２８）を活性化することによって、前記増毛部材（Ｃ）を取り付ける請求項１または請求項２に記載された毛髪量または長さを増大させる方法。
【請求項４】
前記増毛部材（Ｃ）を前記頭髪（Ｔ）に結合するための結合手段である前記固定要素（１３）を活性化することによって、前記増毛部材を取り付ける請求項１または請求項２に記載された毛髪量または長さを増大させる方法。
【請求項５】
前記結合手段（１３，２２，２３，２５，２７，２８）が、熱または超音波エネルギーを加えることによって活性化される請求項３または請求項４に記載された毛髪量または長さを増大させる方法。
【請求項６】
細長くて、前記テープ（１１）の全長に沿って均等な圧力を加えることのできる、伸長形状の二つの加圧要素（１６）を有する把持器具（１５）によって、機械的エネルギー、熱エネルギーまたは超音波エネルギーが付与される請求項３または請求項４に記載された毛髪量または長さを増大させる方法。
【請求項７】
固定顎（４７）と、駆動手段（４４）によって前記固定顎（４７）に対して動かされる加圧部材（４９）とを有する把持器具（１５）が用いられる請求項６に記載された毛髪量または長さを増大させる方法。
【請求項８】
前記把持器具（１５）の前記加圧部材（４９）が、毛髪の厚さの違いを補償するために枢軸により動くことができる請求項７に記載された毛髪量または長さを増大させる方法。
【請求項９】
前記把持器具（１５）の前記加圧部材（４９）が、電動モーター（４４）により駆動される請求項７または請求項８に記載された毛髪量または長さを増大させる方法。
【請求項１０】
前記結合手段（２２，２３，２５，２７，２８）が接着剤から成る請求項３に記載された毛髪量または長さを増大させる方法。
【請求項１１】
前記接着剤が、周囲の空気に接して活性化する請求項１１に記載された毛髪量または長さを増大させる方法。
【請求項１２】
前記支持テープ（１１）を前記頭髪（Ｔ）に付着させる前に、前記支持テープ（１１）に設けた保護テープ（１４）を取除く請求項１から請求項１１までのいずれか一項に記載された毛髪量または長さを増大させる方法。
【請求項１３】
毛髪の量または長さを増大させるための組立体（１２）において、
接着面（４）を有する支持テープ（１１）と、
固定要素（１３）によって結合された複数本の毛髪を含み、支持テープ（１１）上に配置された前記固定要素（１３）によって基本的に平行に配列された複数の増毛部材（Ｃ）と、
前記増毛部材（Ｃ）を頭髪（Ｔ）に結合するために、前記固定要素（１３）に設けた結合手段（２２，２３，２５，２７，２８）とを含む、毛髪量または長さを増大させるための組立体（１２）。
【請求項１４】
毛髪の量または長さを増大させるための組立体（１２）において、
接着面（４）を有する支持テープ（１１）と、
固定要素（１３）によって結合された複数本の毛髪を含み、支持テープ（１１）上に配置された前記固定要素（１３）によって基本的に平行に配列された複数の増毛部材（Ｃ）とを含み、
前記固定要素（１３）が、前記増毛部材（Ｃ）を頭髪（Ｔ）に結合するための結合手段である、毛髪量または長さを増大させるための組立体（１２）。
【請求項１５】
前記支持テープ（１１）が透明である請求項１３または請求項１４に記載された毛髪量または長さを増大させるための組立体（１２）。
【請求項１６】
前記固定要素（１３）が熱可塑性材料で形成されている請求項１３から請求項１５までのいずれか一項に記載された毛髪量または長さを増大させるための組立体（１２）。
【請求項１７】
前記熱可塑性材料が、ポリエステルおよび／またはポリアミドおよび／またはポリウレタンにより成形されている請求項１６に記載された毛髪量または長さを増大させるための組立体（１２）。
【請求項１８】
前記支持テープ（１１）を前記頭髪（Ｔ）に付着する前に取除かれる保護テープ（１４）が、前記支持テープ（１１）上に配設されている請求項１３から請求項１７までのいずれか一項に記載された毛髪量または長さを増大させるための組立体（１２）。
【請求項１９】
前記支持テープ（１１）が耐熱性を有する請求項１３から請求項１８までのいずれか一項に記載された毛髪量または長さを増大させるための組立体（１２）。
【請求項２０】
前記固定要素（１３）が装飾要素を含む請求項１３から請求項１９までのいずれか一項に記載された毛髪量または長さを増大させるための組立体（１２）。
【請求項２１】
前記支持テープ（１１）の前記接着面（４）が、加圧によって操作される非恒久的であるとともに改定可能な種類の接着剤を基剤としており、また、前記支持テープ（１１）の接着力が、前記固定要素（１３）の前記熱可塑性材料が生じるそれよりも大きい請求項１３から請求項２０までのいずれか一項に記載された毛髪量または長さを増大させるための組立体（１２）。
【請求項２２】
前記結合手段（２２，２３，２５，２７，２８）が、熱可塑性材料、熱硬化性材料、熱活性化接着剤、または空気接触活性化型接着剤からなる粘着性物質を含む請求項１３から請求項２１までのいずれか一項に記載された毛髪量または長さを増大させるための組立体（１２）。
【請求項２３】
前記固定要素（１３）が、前記支持テープ（１１）上に互いに間隔を空けて一直線に配置されている請求項１３から請求項２２までのいずれか一項に記載された毛髪量または長さを増大させるための組立体（１２）。
【請求項２４】
前記増毛部材（Ｃ）の毛髪の色が、前記頭髪（Ｔ）のそれとは異なる請求項１３から請求項２３までのいずれか一項に記載された毛髪量または長さを増大させるための組立体（１２）。
【請求項２５】
前記固定要素（１３）が、少なくとも異なる融点を有する可塑材の複数層を備えた平板を含む請求項１３から請求項２４までのいずれか一項に記載された毛髪量または長さを増大させるための組立体（１２）。
【発明の詳細な説明】
【技術分野】
【０００１】
本発明は、毛髪量を増加させるための方法と、この方法において用いられるように設計された増毛用毛髪、および、これらの組立体を製造する手法とに関するものである。
【背景技術】
【０００２】
毛髪量を増加させ、また、毛髪を長くする各種方式が既知である。広く用いられている
一般に、これらの方式では、人毛または人工毛の増毛部材を用いており、それらの増毛部材は、提案された適用方法に基づいて、処置を求めた使用者の容認と満足感とを決定付ける方法を用いて頭髪に固定される。
【０００３】
そのような処置に対する満足感を増大させるために役立つ別の側面は、取り付け作業スピードである。
【０００４】
周知の方式は、増毛部材が使用者の毛髪に結合される段階を含む。この段階において、増毛部材は、本質的に使用者の毛髪に縫い付けられる、接着される、または結び付けられる。しかし、これらの増毛方法は、各々の増毛のために人手による作業と正確性が求められることを考慮すると、非常に長い時間を要する。
【０００５】
増毛部材と毛髪とを結合する他の方法も知られているが、留め金、櫛状部材、把持具などの外部要素を用いることが必要である。これらの要素は、大きい寸法の増毛部材を使用者の毛髪に取り付けるために使用されるが、結合部がはっきりと見え、また使用者も感じ取ることができるという大きい不都合を有し、使用者は付け心地を悪く感じる。
【０００６】
他の周知方法の中には、小さい寸法の増毛部材を毛髪に結合することができる方法もある。これらの方法は、接着剤や小型の留め要素などを用いることが必要ではあるが、かなり良好な結果をもたらす。しかし、全ての方法において、作業者が増毛部材のそれぞれを結合しなければならないために長い取り付け時間を必要とし、また、結合部を使用者や観察者に目立たないようにするためには各々の増毛部材を大きい寸法にすることはできない。
【０００７】
この方法の一例は、ＪＰ０３１５２２０５（株式会社アデランス）と当技術を完成させることを基礎にした他の継続特許に記述されている。本発明の発明者は、毛髪を長くし、また、濃くするための類似の方法と接着剤を、ＺＡ９３／５２１４ＡまたはＤＥ１９６２６１０７Ｃに記述されているように開発した。
【０００８】
これらの書類には、増毛部材と、熱可塑性接着剤を塗布して増毛部材を頭髪に固着することに関連する適用方法とが記述されている。これに関連して、取り付けは手作業であり、そのために増毛部材が一様にならないことは明白である。
【０００９】
それ故に、これらの周知の方法が強制的な手作業によって実行されるということは、一連の問題を含むことを意味する。第一に、作業者は、規則的な結合部を形成するためにはこの技術についての多くの経験を有し、また訓練を積んでいなければならず、それは必ずしも常時可能となる状況ではない。さらに経験とは別に、一様な結合部を形成することは極めて困難であり、増毛用毛髪に予定された線に沿って正確に配置されることはなく、大きくずれ、また品質と寸法も変動する。
【００１０】
このことは全て完了した作業の品質が最適ではなく、修正不可能な欠陥部のために損耗にさらされる可能性が高く、また非常に長い取り付け時間と経験を積んだ作業者を見出すことの困難さによりコストが高くなる。
【００１１】
同様の困難が、形成しようとする結合部に塗布された接着剤を用いる方法、例えばＵＳ４，９３４，３８７（Ｍｅｇｎａ）に記載された方法、にも伴う。
【発明の開示】
【発明が解決しようとする課題】
【００１２】
本発明の目的は、毛髪量を増加する方法を提供し、またこの方法において用いられるように設計された増毛部材の組立体を提供し、説明した技術に関連して述べた不都合を解消することである。
【課題を解決するための手段】
【００１３】
この問題は、先に明記され、さらに請求項１に記載された段階を含む方法により解決される。
【００１４】
解決案は、必要とされる手作業をかけることなく毛髪量を増加させる方法と組立体とを提供する段階を含み、一処理で複数の増毛部材を取り付けるバッチ方式により増毛部材を取り付けることが可能である。各々の増毛用毛髪を結合する固定要素は、一般に結合部（ｂｏｎｄｉｎｇ）と呼ばれている。
【００１５】
本発明による方法の利点は：
【００１６】
複数の増毛部材が一処理だけで頭髪に取り付けられるため、増毛部材の取り付け作業が周知の方法より大幅に速い。約２００本の増毛部材が取り付けられる毛髪増毛法は、従来方法により実施すると少なくとも二時間はかかる。本発明の方法によると、同数の増毛部材を十五分以内で取り付けることができる。それ故に、コストが低減化されるだけではなく、顧客にとっての快適さが増進される。
【００１７】
この手法は、もはや結合部を指先で丸める必要がないので実行することが大変容易であり、本発明による方法は、専門職の、訓練を受けた従業員だけではなく、短期の手ほどきを受けたヘアドレッサーが実行することも可能である。間違う可能性は最小化されており、仕上がりの外観は大変良好である。これは、結合部が等間隔に、規則的に配設されているという事実のせいである。さらに、結合部は完全に平坦であり、目立たない。周知の方法において行われているように、頭髪を両側から持ち込んで結合部を固着することはなされず、さらに、頭髪が、自然な垂れ下がり状態から左右に分けられて、毛髪が結合部に頂点を有する小さい三角形を形成することもない。本発明による方法においては、頭髪は、本質的には平行状態を維持しており、毛髪が結合部により乱されることはなく、自然な外観が維持される。
【００１８】
本発明の更なる利点は、小さい増毛部材、すなわち従来の方法に比べると少ない本数の毛髪を有する各々の増毛部材、を使用することができることである。無理のない時間内に多数の増毛部材を取り付けることができるため、きめ細かい毛髪の分布を作り出すことができる。従来の方法においては極めて小さい結合部を用いることは不可能であり、熱容量が小さいために加熱器具を取外すと結合部が短時間で冷却され、結合部が柔軟で粘着性を保持している時間が余りにも短く、例えば指先で結合部を丸めて頭髪との適切な結合を作り出すことができない。
【００１９】
本発明による方法は、非常に安全であり、たとえ高温器具が結合部を構成する、または結合部に装着されている熱可塑性材料を溶融するために使用されようとも、高温器具が毛髪または頭髪と接触することを防止することが可能である。さらに、増毛部材の取り付け中に顧客を保護するための防御材をもはや必要としない。
【００２０】
本発明による方法には、二つの主要な形態がある。結合部または固定要素に関する第一の形態においては、増毛部材を頭髪に固定するために用いられる結合手段が配置されている。そのような結合手段は、例えば一滴の接着剤またはホットメルト接着剤であってよい。周囲の空気によって活性化される接着剤が用いられるとすると、増毛部材の取り付けはとりわけ容易になる。第二の形態においては、固定要素自体が結合手段として用いられる。この場合に、固定要素自体は、例えば加熱または超音波エネルギーによって軟化して頭髪と結合する。
【００２１】
加熱によって増毛部材を取り付けるときには、結合手段は、加熱により軟化する熱可塑性材料により構成されていることが好ましい。冷却後に、結合手段熱可塑性材料は固化して堅固な結合が形成される。
【００２２】
直接加熱する代わりに、超音波エネルギーを結合手段に加えることができる。この場合には、熱可塑性材料は熱と超音波によって作り出された振動によって軟化する。この手法の利点は、頭髪が熱にさらされることが少なく、またフェイルセーフの方法であることである。
【００２３】
さらに、本発明は、本発明の第一および第二の形態に関連して請求項１０と請求項１１とに記載された組立体に関する。
【００２４】
本発明によると、この方法と増毛部材組立体の主たる利点は、多数の増毛部材を一処理による高速取り付けを可能にし、また、相当する数の非常に小さい寸法を有し、それ故に使用者がほとんど見ることや見付けることができない結合部を同時進行的に形成することを可能にすることにある。
【００２５】
本発明の別の形態においては、増毛部材は頭髪とは異なる色の毛髪を含む。この方法により、頭髪の単一の種類を染めてハイライト、またはローライトを従来の方法よりも大変容易に実現することができる。
【００２６】
本発明の好適形態においては、固定要素は、少なくとも異なる融点を有する可塑材の複数層を含む。それ故に、熱エネルギーまたは超音波エネルギーによって処理するときに、固定要素の一部だけを確実に軟化させることが可能である。
【００２７】
ここで、本発明について添付図面を参照しつつ、限定されることなく、例として呈示された好適実施の種々の形態に従って説明する。
【実施例１】
【００２８】
図１を参照して、本発明を実施するための第一の例によると、増毛部材Ｃの組立体１２は、基本的に平行に配列された多数の増毛部材Ｃを含み、増毛部材Ｃは、一定量の実質的にあらかじめ規定され、適切に選別された一様な色または縞を有する人毛または人工毛の毛髪３を含む。
【００２９】
増毛部材Ｃは概ね等間隔に配置されている。それらは、頭髪に結合されるように設計されている基端部２から自由先端まで延びている。増毛部材Ｃ、および各々の毛髪３は均等な長さを有することが好ましい。
【００３０】
組立体１２の各々の増毛部材Ｃは、前に述べた基端部２とともに例えばポリアミド、ポリエステル、ポリウレタン、またはナイロンなどの熱可塑性材料により製造された固定要素１３を含む。
【００３１】
固定要素１３を各々の基端部３と結合するために、当業界ではよく知られている熱接着や射出などを含む種々の手法を用いることができる。
【００３２】
固定要素１３は、各々の増毛部材Ｃの幅と概ね等しい、または僅かに大きい幅（図では誇張されている）を有する小さい矩形または円板である。厚さについても同様であり、熱可塑性材料の量を最小に制限するために、以下に説明するように、熱可塑性材料は接着剤として作用する。
【００３３】
組立体１２は、また、透明材料で作られ、固定要素１３が配置される接着面４を有する支持テープ１１を含む。
【００３４】
支持テープ１１を形成する材料は、限定するものではないが、耐熱材料で作られていることが好ましい。使用される接着剤は、加圧によって機能する非恒久的で、可逆的な種類である。テープ１１上におけるその接着力は、固定要素１３を形成する熱可塑性材料の接着力より大きく、このため、この材料からテープ１１を後で剥離しても接着剤が残ることは全くない。
【００３５】
前に述べた接着面４を保護テープ１４（図１）で覆って、組立体１２の製造と保管とを容易にすることができる。
【００３６】
この製造例では、組立体１２は、以下の毛髪増設方法に関する記述に示されているそれ自身が固定要素１３を含み、増毛部材Ｃを頭髪Ｔに結合する手段を有する。
【００３７】
支持テープ１１は、規定された長さを有し、あらかじめ決められた数の増毛部材Ｃを保持していてもよいし、または、自由な長さを有するようにして作業者が所望数の増毛部材Ｃの部分を選んで切出すこともできる。
【００３８】
全ての場合において、作業者は、現に行っている取り付け作業に不要な一以上の増毛部材をテープ１１の一部を単に切離すことにより取除くことができる。
【００３９】
各々の組立体１２の増毛部材Ｃは、同じ長さ、寸法、および色であってよいが、長さに変化を持たせて段階的に増加させ、色に変化を持たせて複雑な縞模様を作り出し、さらに寸法に変化を持たせることも、また、可能である。
【００４０】
被覆・保護テープ１４は粘着性および／または透明であってよいし、また一般のけい素被覆のコート紙により形成することもできる。
【００４１】
この例を続けて、熱可塑性材料は、可塑性流体の性状を考慮すると常温以上で溶融し、その後冷却して常温で固化させるのに適している物質である。
【００４２】
類似の性質を備える物質は、高周波振動、とりわけ超音波振動、という形態の機械的エネルギーを直接加えることにより溶融される。この場合に、分子間振動とそれによる摩擦により、分子を互いに可塑的に移動させるのに必要な熱量が発生する。この熱の発生は振動が停止されると止まり、ほとんど即時に固化が起こる。
【００４３】
熱可塑性材料として用いることができる物質の例としては、ポリエステル、ポリアミド、ポリウレタンなどである。
【００４４】
本発明による固定要素１３の機能は、毛髪をまとめて各々の増毛部材Ｃに保持し、また増毛されている頭髪Ｔの毛髪に増毛部材Ｃを付着させる場所を設けるためである。
【００４５】
固定要素１３の別の例は平板または球状の可塑性要素を含み、増毛用毛髪が取り付けられる。これらの固定要素１３は、例えば既に説明した熱可塑性材料の部分、または加圧硬化性、熱硬化性、熱収縮性などの別の種類の粘着剤および／または接着剤を含む結合手段に関連している。そのような例については以下に説明される。
【００４６】
増毛部材Ｃの毛髪と調和する色を有する固定要素１３に、絹屑糸などの別の装飾要素により装飾を施すこともできる。
【００４７】
先に説明した固定要素およびそれらの変形の全ては、以下に説明される増毛方法に好適である。
【００４８】
図２から図６を参照して、先に説明した組立体を用いる増毛方法は、以下の段階に従って実行される。
【００４９】
増毛用組立体を用意し、保護テープ１４をもし付いていれば取除く。この構成のままで、増毛部材Ｃを所定の位置に位置づけし、支持テープ１１を増毛中の毛髪Ｔに付着させる。作業者は、テープ１１の接着面を用い、また、その透明性を利用して固着する前に増毛中の毛髪に現れる効果を検討することができる。使用者も、また、その効果を鏡により調べることができる。
【００５０】
続いて、テープ１１の位置と増毛部材Ｃとが一旦決定されると、次は固定要素１３が使用者の毛髪に結合される段階に入る。この段階で、作業者は先に説明した結合手段を活性化させる。
【００５１】
この実施例では、熱可塑性材料の溶融性質が利用される。事実、エネルギーを支持テープ１１を介して固定要素に加えるように提案されている。図３を参照して、二つの加圧要素１６を備えた把持器具１５が用いられており、加圧要素は、均等な圧力をテープ１１の全長に沿って加えられるように十分な長さを有し、固定要素を圧縮する。
【００５２】
ここで、エネルギーを固定要素１３に伝達するために少なくとも二つの手法を用いることができる。第一には熱を加えることが提案されている。この提案では、加圧要素１６は、一以上の電気抵抗器を用いて従来の方法により加熱さる。
【００５３】
この場合に、熱は、一方からはテープ１１を通過して、他方からは直接固定要素１３に伝導される。先に説明したように、テープ１１は、耐熱性であり、高温の加圧要素１６に接触しても変形や劣化を起こさない。
【００５４】
第二の手法では、例えば２０〜６０ｋＨｚの範囲の超音波振動の形態をした機械的エネルギーを用いることが提案されている。この場合に、加圧要素の一方または両方が、例えば、所望の周波数の交流電流が印加された圧電素子のような振動体に結合され、これにより振動が、直接およびテープ１１を通して固定要素１３に伝達される。
【００５５】
この場合に、振動を付与することにより、固定要素１３の熱可塑性材料分子が増毛部材Ｃの各々の毛髪と頭髪Ｔとの間を容易に流動することができるようになり、両者に入り込むとともに互いに結合することに留意されたい。
【００５６】
これらの分子が毛髪の薄い層に分散される効率のために、取り付け作業を実施する際に最小量の熱可塑性材料しか必要ではないことについても留意されたい。
【００５７】
さらに、いかなる熱源もないこと、振動が停止されると即時に固化すること、および溶融熱可塑性材料が使用者の毛髪間または頭部に落下することが不可能なことは全て重要な別の利点である。
【００５８】
全ての場合において、テープ１１が配置されていて、それが固定要素１３とともに毛髪に押圧されるという事実は、熱可塑性材料が配置された位置に留まって非常に小さい寸法の結合部を形成するということを意味する。
【００５９】
さらに、テープ１１が配置されているということは使用者を保護するための別の被覆が必要ではないということを意味する。この結合段階が一旦終了すると、テープ１１を取除いても毛髪には接着剤が残留せず（図５）、作業は完了する。
【００６０】
固定要素が熱可塑性材料によって形成されていない場合には、結合手段は、先に説明した手法を用いて活性化される。
【００６１】
結合手段が、適切なテープ上に規則的に配置され、さらに増毛部材Ｃの各々の固定要素１３と結合するようにされている熱可塑性材料の部分を含む場合には、増毛部材Ｃを備えた支持テープ１１を使用者の毛髪に配置した後に、上述のテープを取り付けることができる。
【００６２】
作業者は、必要に応じて剥離と接着ができるテープを都合に合わせて配置し、固定要素１３を熱可塑性材料の部分に容易に重ね合わせることができる。
【００６３】
一旦位置づけられると、加熱された、または振動している加圧要素１６の間にテープは配置されて、把持器具１５によりテープは一緒に圧縮される。
【００６４】
全ての場合に、二本のテープは熱可塑性材料を含んでおり、固定要素に付着して使用者の毛髪に混入し、各々の増毛部材Ｃを頭髪Ｔに結合する。
【００６５】
固定要素と熱可塑性材料部分の寸法とは、各々の頭髪に結合される組立体１２の増毛部材の容量に実質的な影響を与えることなく、必要に応じて縮小することができると提案されている。
【００６６】
先に示された意見と取り付け方法の変形は、組立体１２の単一部が図示されている図７〜図１２に示す構成を繰り返して製造された組立体の例に適用可能である。
【００６７】
図７において、固定要素１３は、非粘着性であり非熱可塑性の材料で形成された剛性または半剛性ではあるが、一般のプラスチックのように耐熱性と耐振性を有する円板を含むように組立体１２は説明されている。円板の形状は単純に例示することを意図したものであり、いかなる適切形状の小平板も固定要素として用いることができる。毛髪を保持する一対の半要素を接着（粘着または融合）する、または基端部２を取り込むように射出処理するなどの種々の手法を用いて、固定要素１３と各々の基端部２とを一体化することができる。
【００６８】
この第二の実施方法では、要素１３は支持テープの接着面４に接着されており、また結合手段は、要素１３の露出面２１に直接塗布された接着剤または熱可塑性材料の一定量２０として示されている。
【００６９】
図８において、組立体１２の第三の例は、第四および第五の例として繰り返された先例に類似した固定要素を提案している。組立体１２を製造する第二および第三の例は、各々の量２０，２２の熱可塑性物質が熱または振動により溶融される先に説明された方法によって変更されたものである。熱硬化性材料、半流体および／または常温において可塑的であるが熱を加えた後に固化する材料は、この物質を基本的に代替することができる。
【００７０】
第四の製造例（図９）では、円板形の固定要素１３に例えば加圧により活性化される一定量の接着剤２３が配置され、接着剤は、二成分の樹脂であり、例えば加圧により活性化される、加熱により活性化される、または空気に触れると固化する種類のものである。最後の例では、接着剤が大気中の酸素に触れることを阻止している保護層２４によって固定要素１３が保護されている。接着剤を用いることは、後に指摘されるように熱または振動をもはや用いる必要がなく、取り付け器具と各々の加圧手段は、支持テープ１１と増毛部材Ｃを配置するのに役立つ。
【００７１】
図１０における第五の例では、先の複数の例で説明したような固定要素と、保護テープ１４に規則的に配置された接着剤、熱可塑性物質、または同等の物質からなる接着要素２５とを含むことを提案している。この場合に、保護テープ１４は、増毛部材Ｃを取り付ける際に役立ち、増毛部材を結合する前に頭髪Ｔに取り付けられる。接着剤が空気によって活性化する場合には、別の保護層があった方がよい。
【００７２】
図１１と図１２の第六および第七の例においては、固定要素１３は、装着され、また頭髪Ｔを封止するのに適した一対の半要素１３ａ，１３ｂから成る。最後に、半要素はこの毛髪を保持するための凹みを含む。半要素１３ａは増毛部材Ｃの基端部２に固着され、他方の１３ｂは保護テープ１４に規則的に配置されて先の例の方法に従って取り付けられる。
【００７３】
結合手段は、とりわけ二成分接着剤または同等の熱可塑性物質または接着剤２８を含み、適当な保護層２９により保護されている。
【実施例２】
【００７４】
図１３に示す実施例においては、固定要素１３は層３０，３１を含む。第一の層３０は、支持テープ１１の接着面４に固着されている。毛髪３は、主として第一の層３０と第二の層３１の間に挟持されている。第二の層３１は第一の層３０より低い融点を有し、熱エネルギーまたは超音波エネルギーが加えられると第二の層３１だけが軟化して頭髪との結合部を形成する。固定要素１３間の間隔ｄは、１ｍｍから３ｍｍの範囲で適切に選ぶことができる。固定要素１３の幅ｂも同様な寸法である。
【００７５】
増毛部材を手作業により支持テープに固着して組立体を製造してもよいが、製造には機械を用いることが好ましい。
【実施例３】
【００７６】
図１４と図１５は、本発明による方法において用いられる把持器具１５の好適実施例を示す。把持器具１５は、二本の挟持部４６，４７が延出する取っ手５０を含む。第一の挟持部４６は、凹み４８を有し、加圧部材４９が保持されている。固定顎４７は、弾発性材料で形成された接触面４０を有し、全ての増毛部材に均一な加圧ができるようになっている。
【００７７】
加圧部材４９を折り曲げられたサーミスター４１によって加熱することにより、結合手段を活性化することができる。加熱部４９は、電動モーター４４により駆動される歯車４２に係合しているロッド４３によって駆動される。加圧部材４９は、ロッド４３との関係で枢軸運動可能であり、異なる厚さを有する増毛部材にも対応できる。代替として、加圧部材を、油圧式または空気圧式シリンダーにより駆動してもよい。
【００７８】
加圧部材４９の運動は始動ボタン４５によって制御される。サーミスター４１の温度、加圧部材４９により加えられた圧力、およびその他の変数は、把持器具１５に接続されたプログラム可能な制御装置によって制御される。
【００７９】
以上の説明から、この増毛方法によると、作業者による如何なる操作も必要ではなく、また、加圧要素、配設された少なくとも一本のテープ、および結合を可能にする物質を含むことを考慮すると、増毛部材と毛髪との結合部を非常に小さい寸法に形成することが可能となる。結果として形成される結合部は非常に小さく、出来上がった端部はほとんど目立たない。唯一の手作業は、結合部を活性化するために用いられる器具の操作に起因する部分だけである。
【００８０】
結合部の寸法は、結合部を形成するために熱可塑性材料と増毛部材の毛髪とを頭髪に力を入れて巻き付けなければならず、また形成された結合部が一定の限度以下には低減できないという事実に依存はしていない。例えば、先に引用した日本国特許においては、増毛部材の毛髪を頭髪の周囲に巻き付けなければならないという単純な事実のために、大きい結合部が形成されることになる。
【００８１】
本発明によると、結合部の寸法は、増毛部材に集積された毛髪の量にもっぱら依存し、増毛部材が小さければそれだけ結合部も小さくなる。
【００８２】
それ故に、操作部分がないことにより均一な結合部が形成されることになる。結合部は最適な品質となり、例えば水や類似物質の浸入により結合部が外れることが防止される。
【００８３】
この手法によると、増毛部材を毛髪の内部に隠蔽することも可能である。次に、同等の増毛部材を取り付けることが可能であるため、別の増毛部材をその間に取り付けることにより短時間のうちに調和した増毛を実現し、また、使用者の毛髪とは異なる色の増毛部材を混入させることにより複雑な縞模様（ハイライト）を作り出すことができる。
【００８４】
この方法によると、熱可塑性材料の使用量と活性化のためのエネルギーを低減することができ、また、熱損失および備品または結合用器具の汚染もない。
【００８５】
さらに、お分かりのとおり、先に説明した増毛方法と関連した増毛部材の組立体は実施方法を種々変更することを可能にすることから、専門の作業者にとっても最大の想像力を働かせることができる。
【００８６】
毛髪に増毛部材を付加する先に説明した方法の他に、上述の方法で用いるのに適した増毛部材の組立体とこれら組立体を製造する手法とに関して、当業界の技術者には、別の要請および補完的な要請を満足させるために多数の別の修正や変更を実施することが可能であるが、それらは全て添付請求項に規定されている通り、本発明の保護された領域に含まれる。
【００８７】
とりわけ、当業者は、固定要素１３の形状が図面のそれとは異なり、これらの要素の幅は増設部材Ｃの幅と同一または僅かに大きいということを承知しているであろう。さらに、テープ１１上の増設部材Ｃの間隔は適切に選択される。
【図面の簡単な説明】
【００８８】
【図１】本発明による髪房の組立体の斜視図。
【図２】本発明による毛髪量を増加する方法を、本発明による増毛部材の組立体を用いて実行する種々の段階を示す斜視図。
【図３】本発明による毛髪量を増加する方法を、本発明による増毛部材の組立体を用いて実行する種々の段階を示す斜視図。
【図４】本発明による毛髪量を増加する方法を、本発明による増毛部材の組立体を用いて実行する種々の段階を示す斜視図。
【図５】本発明による毛髪量を増加する方法を、本発明による増毛部材の組立体を用いて実行する種々の段階を示す斜視図。
【図６】本発明による毛髪量を増加する方法を、本発明による増毛部材の組立体を用いて実行する種々の段階を示す斜視図。
【図７】前図面の組立体を製造する別の六例の斜視図。
【図８】前図面の組立体を製造する別の六例の斜視図。
【図９】前図面の組立体を製造する別の六例の斜視図。
【図１０】前図面の組立体を製造する別の六例の斜視図。
【図１１】前図面の組立体を製造する別の六例の斜視図。
【図１２】前図面の組立体を製造する別の六例の斜視図。
【図１３】本発明による別の実施例の詳細を示す拡大断面図。
【図１４】本発明による方法に用いられる把持器具の斜視図。
【図１５】機能がより良く理解できるように部品を破断した図１４に示した把持器具。
【国際公開パンフレット】
2004522007.tif 000003
2004522007.tif 000004
2004522007.tif 000005
2004522007.tif 000006
2004522007.tif 000007
2004522007.tif 000008
2004522007.tif 000009
2004522007.tif 000010
2004522007.tif 000011
2004522007.tif 000012
2004522007.tif 000013
2004522007.tif 000014
2004522007.tif 000015
2004522007.tif 000016
2004522007.tif 000017
2004522007.tif 000018
2004522007.tif 000019
2004522007.tif 000020
2004522007.tif 000021
2004522007.tif 000022
2004522007.tif 000023
2004522007.tif 000024
【国際調査報告】
2004522007.tif 000025
2004522007.tif 000026
2004522007.tif 000027